(57)【特許請求の範囲】
【請求項１】
一面が内包物を展示可能なように開放されており、シートが折り曲げられて組み立てられた展示梱包箱であって、
外周壁を構成する複数の外壁と、
前記複数の外壁の内側に設けられ前記複数の外壁とともに前記外周壁を構成する複数の内壁と、
前記複数の外壁のうちいずれか一つであって、展示するときに載置される載置面と、
前記内包物の前記載置面から離間する方向の移動を規制するストッパー片と、
前記複数の外壁及び前記複数の内壁のうち前記載置面に対して立設されたものである複数の立設外壁及び複数の立設内壁と、を有しており、
前記ストッパー片は、前記立設内壁の間で前記載置面を亘って設けられており、
前記複数の立設内壁のうちいずれか一つには、折り曲げ部を介して前記ストッパー片が連設されており、
前記複数の立設内壁のうち前記ストッパー片が連設されていない立設内壁にはストッパー片規制部が設けられており、
前記ストッパー片規制部が前記ストッパー片に重なり、ストッパー片の前記載置面から離間する方向の移動を規制し、
前記載置面に係る外壁の内側に設けられる内壁には、折り曲げ部を介して前記ストッパー片を載置面方向から支持するストッパー片台座が設けられ、
前記ストッパー片台座は、前記ストッパー片が前記載置面に近づく方向の移動を規制することを特徴とする展示梱包箱。
【請求項２】
一面が内包物を展示可能なように開放されており、シートが折り曲げられて組み立てられた展示梱包箱であって、
外周壁を構成する複数の外壁と、
前記複数の外壁の内側に設けられ前記複数の外壁とともに前記外周壁を構成する複数の内壁と、
前記複数の外壁のうちいずれか一つであって、展示するときに載置される載置面と、
前記内包物の前記載置面から離間する方向の移動を規制するストッパー片と、
前記複数の外壁及び前記複数の内壁のうち前記載置面に対して立設されたものである複数の立設外壁及び複数の立設内壁と、を有しており、
前記ストッパー片は、前記立設内壁の間で前記載置面を亘って設けられており、
前記複数の立設内壁のうちいずれか一つには、折り曲げ部を介して前記ストッパー片が連設されており、
前記複数の立設内壁のうち前記ストッパー片が連設されていない立設内壁にはストッパー片規制部が設けられており、
前記ストッパー片規制部が前記ストッパー片に重なり、ストッパー片の前記載置面から離間する方向の移動を規制し、
前記ストッパー片規制部は、ストッパー片規制部折り曲げ部と前記ストッパー片規制部折り曲げ部を介して延設されたストッパー片規制部突片から構成され、
前記ストッパー片規制部を有する立設内壁は、対応する立設外壁と離間して設けられており、前記ストッパー片規制部突片の先端が、当該立設外壁に当接することで、当該立設内壁と当該立設外壁との間隔を確保するスペーサとして機能する
ことを特徴とする展示梱包箱。
【請求項３】
一面が内包物を展示可能なように開放されており、シートが折り曲げられて組み立てられた展示梱包箱であって、
外周壁を構成する複数の外壁と、
前記複数の外壁の内側に設けられ前記複数の外壁とともに前記外周壁を構成する複数の内壁と、
前記複数の外壁のうちいずれか一つであって、展示するときに載置される載置面と、
前記内包物の前記載置面から離間する方向の移動を規制するストッパー片と、
前記複数の外壁及び前記複数の内壁のうち前記載置面に対して立設されたものである複数の立設外壁及び複数の立設内壁と、を有しており、
前記ストッパー片は、前記立設内壁の間で前記載置面を亘って設けられており、
前記複数の立設内壁のうちいずれか一つには、折り曲げ部を介して前記ストッパー片が連設されており、
前記複数の立設内壁のうち前記ストッパー片が連設されていない立設内壁にはストッパー片規制部が設けられており、
前記ストッパー片規制部が前記ストッパー片に重なり、ストッパー片の前記載置面から離間する方向の移動を規制し、
前記複数の立設内壁のうち少なくとも一つは、対応する立設外壁と離間して設けられるとともに、当該立設内壁には、隣接する立設内壁に重なり隣接する立設内壁が当該隣接する立壁内壁に対応する立設外壁から離れることを規制する隣接内壁規制部が設けられ、
前記隣接内壁規制部は、隣接内壁規制部折り曲げ部と前記隣接内壁規制部折り曲げ部を介して延設された隣接内壁規制部延長片から構成されており、前記隣接内壁規制部延長片の先端は、前記当該立設内壁に対応する立設外壁に当接することで前記当該立設内壁と前記当該立設内壁に対応する立設外壁との間隔を確保するスペーサとして機能する
ことを特徴とする展示梱包箱。
【請求項４】
前記載置面に係る外壁の内側に設けられる内壁には、折り曲げ部を介して前記ストッパー片を載置面方向から支持するストッパー片台座が設けられ、前記ストッパー片台座は、前記ストッパー片が前記載置面に近づく方向の移動を規制する
ことを特徴とする請求項２又は３に記載の展示梱包箱。
【請求項５】
前記ストッパー片規制部と前記ストッパー片台座とは、互いに対向して前記ストッパー片を挟む位置に形成されている
ことを特徴とする請求項１に記載の展示梱包箱。
【請求項６】
前記ストッパー片規制部は、ストッパー片規制部折り曲げ部と前記ストッパー片規制部折り曲げ部を介して延設されたストッパー片規制部突片から構成され、
前記ストッパー片規制部を有する立設内壁は、対応する立設外壁と離間して設けられており、前記ストッパー片規制部突片の先端が、当該立設外壁に当接することで、当該立設内壁と当該立設外壁との間隔を確保するスペーサとして機能することを特徴とする請求項１〜５のいずれか１項に記載の展示梱包箱。
【請求項７】
前記複数の立設内壁のうち少なくとも一つは、対応する立設外壁と離間して設けられるとともに、当該立設内壁には、隣接する立設内壁に重なり隣接する立設内壁が当該隣接する立壁内壁に対応する立設外壁から離れることを規制する隣接内壁規制部が設けられている
ことを特徴とする請求項１、２又は４〜６のいずれか１項に記載の展示梱包箱。
【請求項８】
前記隣接内壁規制部は、隣接内壁規制部折り曲げ部と前記隣接内壁規制部折り曲げ部を介して延設された隣接内壁規制部延長片から構成されており、前記隣接内壁規制部延長片の先端は、前記当該立設内壁に対応する立設外壁に当接することで前記当該立設内壁と前記当該立設内壁に対応する立設外壁との間隔を確保するスペーサとして機能する
ことを特徴とする請求項７に記載の展示梱包箱。
【発明の詳細な説明】
【技術分野】
【０００１】
本発明は、シートを折り曲げられて組み立てられ、商品を運送のために梱包し、そのまま販売するとき等にディスプレイする展示梱包箱に関する。
【背景技術】
【０００２】
商品を運送のため梱包し、そのまま販売するとき等にディスプレイする展示梱包箱が知られている。展示梱包箱は、シートに設けられる折り曲げ線を折り曲げて組み立てることによって箱形状となる。その箱の形態は、商品を展示した際に購入者にみせるために、購入者に向ける展示面側が開口されている。このような展示梱包箱は、外周壁が、外壁と内壁とを備える二重構造となるものが多い。
【０００３】
このようなものの従来技術としては、特許文献１に開示されているようなものがある。特許文献１に開示される展示梱包箱は、左右内側部と左右内側部を連結する連結部材とで構成される物品保持部である凹部に物品が挿入されるものである。左右内側部にはフラップが連設されおり、フラップの下端部が底面に配置される部材の内面に接触するとともに、フラップの側端部が側面部材の内面に接触する。また、左右連結部材により左右内側部が連結されている。これらにより、左右内側部が所望の位置に固定され、物品の位置が安定し、外部への離脱を防止するというものである。
【０００４】
ここで、梱包展示される内包物が展示梱包箱に対して上下方向に移動するような力が物品に作用した場合、特許文献１のような従来技術では、物品の下方向への移動については、フラップや連結部材の存在により、その移動は規制される。それに対して、物品の上方向への移動については、物品と左右内側部との摩擦によるものであるので、その移動は比較的容易なものとなっている。
【０００５】
内包物を係止するような梱包箱としては、特許文献２に開示されているようなものがある。特許文献２の図２０に開示されるものは、展示を目的とするものではないが、梱包対象物（腕時計）を切込部で係止して保持させる保持枠体部を箱本体部の側面部材に連設させて備えたものである。保持枠体部は、先端が底面の内面に接触する側面部材およびスペーサを有している。
【先行技術文献】
【特許文献】
【０００６】
【特許文献１】特許第３９６２８５７号公報（段落００３３〜００３６，図２（ｂ））
【特許文献２】特許第５２５０３１２号公報（段落００５９〜００６１，図２０）
【発明の概要】
【発明が解決しようとする課題】
【０００７】
特許文献２のような梱包箱においても、内包物に下方向の力が作用した場合、同時に保持枠体にもそのような力が作用し、保持枠体ごと梱包箱側面に対して下方向に移動しようとする。これに対しては、箱本体の側面部材と連設されていること並びに側面部材およびスペーサの先端が底面の内面に接触することにより、下方向への移動は規制される。
【０００８】
しかしながら、上方向への移動に対しては、箱本体の側面部材と連設されている部分については多少の移動は規制されるが、他の側面部材の部分については、上方向に保持枠体ごと移動してしまう等の問題があった。
【０００９】
そこで、本発明の目的は、上記の問題点に鑑み、シートを折り曲げて組み立てられて形成された展示梱包箱において、内包物に上方向の力が作用しても内包物が上方向に移動しない展示梱包箱を提供することである。
【課題を解決するための手段】
【００１０】
本願の展示梱包箱は、一面が内包物を展示可能なように開放されており、シートが折り曲げられて組み立てられた展示梱包箱であって、外周壁を構成する複数の外壁と、複数の外壁の内側に設けられ複数の外壁とともに外周壁を構成する複数の内壁と、複数の外壁のうちいずれか一つであって、展示するときに載置される載置面と、内包物の載置面から離間する方向の移動を規制するストッパー片と、複数の外壁及び複数の内壁のうち載置面に対して立設されたものである複数の立設外壁及び複数の立設内壁と、を有しており、ストッパー片は、立設内壁の間で載置面を亘って設けられており、複数の立設内壁のうちいずれか一つには、折り曲げ部を介してストッパー片が連設されており、複数の立設内壁のうちストッパー片が連設されていない立設内壁にはストッパー片規制部が設けられており、ストッパー片規制部がストッパー片に重なり、ストッパー片の載置面から離間する方向の移動を規制し、載置面に係る外壁の内側に設けられる内壁には、折り曲げ部を介してストッパー片を載置面方向から支持するストッパー片台座が設けられ、ストッパー片台座は、ストッパー片が前記載置面に近づく方向の移動を規制することを特徴とする。
【００１１】
ストッパー片規制部は、ストッパー片規制部折り曲げ部とストッパー片規制部折り曲げ部を介して延設されたストッパー片規制部突片から構成されていてもよい。
【００１２】
ストッパー片規制部が設けられる立設内壁を、複数有していてもよい。
【００１３】
載置面に係る外壁の内側に設けられる内壁には、折り曲げ部を介してストッパー片を載置面方向から支持するストッパー片台座が設けられ、ストッパー片台座は、ストッパー片が載置面に近づく方向の移動を規制してもよい。
【００１４】
ストッパー片規制部とストッパー片台座とは、互いに対向してストッパー片を挟む位置に形成されていてもよい。
【００１５】
ストッパー片規制部を有する立設内壁は、対応する立設外壁と離間して設けられており、ストッパー片規制部突片の先端が、当該立設外壁に当接することで、当該立設内壁と当該立設外壁との間隔を確保するスペーサとして機能してもよい。
【００１６】
複数の立設内壁のうち少なくとも一つは、対応する立設外壁と離間して設けられるとともに、当該立設内壁には、隣接する立設内壁に重なり隣接する立設内壁が当該隣接する立壁内壁に対応する立設外壁から離れることを規制する隣接内壁規制部が設けられていてもよい。
【００１７】
隣接内壁規制部は、隣接内壁規制部折り曲げ部と隣接内壁規制部折り曲げ部を介して延設された隣接内壁規制部延長片から構成されており、隣接内壁規制部延長片の先端は、当該立設内壁に対応する立設外壁に当接することで当該立設内壁と当該立設内壁に対応する立設外壁との間隔を確保するスペーサとして機能させてもよい。
【発明の効果】
【００１８】
シートを折り曲げて組み立てられて形成された展示梱包箱において、外周壁を構成する複数の外壁と、複数の外壁の内側に設けられ複数の外壁とともに外周壁を構成する複数の内壁と、複数の外壁のうちいずれか一つであって、展示するときに載置される載置面と、内包物の載置面から離間する方向の移動を規制するストッパー片と、複数の外壁及び複数の内壁のうち載置面に対して立設されたものである複数の立設外壁及び複数の立設内壁と
、を有しており、ストッパー片は、立設内壁の間で載置面を亘って設けられており、複数の立設内壁のうちいずれか一つには、折り曲げ部を介してストッパー片が連設されており、複数の立設内壁のうちストッパー片が連設されていない立設内壁にはストッパー片規制部が設けられており、ストッパー片規制部がストッパー片に重なり、ストッパー片の載置面から離間する方向の移動を規制する構成としたことにより、内包物に上方向の力が作用しても内包物が上方向に移動しない展示梱包箱を実現できる。
【００１９】
また、ストッパー片規制部が設けられる立設内壁を、複数有することにより、内包物により大きな上方向の力が作用しても内包物が上方向に移動しない展示梱包箱を実現できる。
【００２０】
さらに、載置面に係る外壁の内側に設けられる内壁には、折り曲げ部を介してストッパー片を載置面方向から支持するストッパー片台座が設けられ、ストッパー片台座は、ストッパー片が載置面に近づく方向の移動を規制することにより、ストッパー片が載置面に近づく方向の移動を規制し、また、ストッパー片台座部の上でストッパー片が安定しストッパー片と載置面との離間が確保され、内包物を設置しやすい展示梱包箱を実現できる。
【００２１】
その上、ストッパー片規制部とストッパー片台座とは、互いに対向してストッパー片を挟む位置に形成されていることにより、ストッパー片がより安定する展示梱包箱を実現できる。
【００２２】
また、ストッパー片規制部を有する立設内壁は、対応する立設外壁と離間して設けられており、ストッパー片規制部突片の先端が、当該立設外壁に当接することで、当該立設内壁と当該立設外壁との間隔を確保することにより、ストッパー片規制部が、ストッパー片の載置面から離間する方向の移動を規制するとともに、立設内壁と対応する立設外壁との離間を確保するスペーサとしても機能し、形状が安定した展示梱包箱を実現できる。
【００２３】
さらに、複数の立設内壁のうち少なくとも一つは、対応する立設外壁と離間して設けられるとともに、当該立設内壁には、隣接する立設内壁に重なり隣接する立設内壁が当該隣接する立壁内壁に対応する立設外壁から離れることを規制する隣接内壁規制部が設けられていることにより、立設内壁の立設内壁規制部が、隣接する立設内壁が開くことを規制し、形状が安定した展示梱包箱を実現できる。
【００２４】
その上、隣接内壁規制部は、隣接内壁規制部折り曲げ部と隣接内壁規制部折り曲げ部を介して延設された隣接内壁規制部延長片から構成されており、隣接内壁規制部延長片の先端は、当該立設内壁に対応する立設外壁に当接することで当該立設内壁と当該立設内壁に対応する立設外壁との間隔を確保することにより、立設内壁の延設部が、当該立設内壁と当該立設外壁との離間を確保するスペーサとしても機能し、また、隣接する立設内壁が開くことを規制し、形状が安定した展示梱包箱を実現できる。
【図面の簡単な説明】
【００２５】
【図１】本発明の第１の実施形態における展示梱包箱の斜視図である。
【図２】本発明の第１の実施形態における展示梱包箱の正面図である。
【図３】図２におけるＸ−Ｘ断面図である。
【図４】本発明の第１の実施形態における展示梱包箱の展開図である。
【図５】図４において上下のフック部を組み立てた状態を示す図である。
【図６】図５において下壁を折り込んだ状態を示す図である。
【図７】図６において上壁を折り込んだ状態を示す図である。
【図８】図７において右壁を折り込んだ状態を示す図である。
【図９】図８において左壁を折り込んだ状態を示す図である。
【図１０】本発明の第２の実施形態における展示梱包箱の展開図である。
【図１１】本発明の第３の実施形態における展示梱包箱の展開図である。
【図１２】本発明の第３の実施形態における左壁を折り込もうとする状態を示す図である。
【図１３】本発明の第３の実施形態における展示梱包箱の斜視図である。
【図１４】本発明の第４の実施形態における展示梱包箱の斜視図である。
【図１５】本発明の第４の実施形態における展示梱包箱の平面図である。
【図１６】図１５におけるＸ−Ｘ断面図である。
【図１７】本発明の第４の実施形態における展示梱包箱の展開図である。
【図１８】図１７において前後のフック部を組み立てた状態を示す図である。
【図１９】図１８において前後壁を折り込んだ状態を示す図である。
【図２０】図１９において左壁を折り込んだ状態を示す図である。
【図２１】本発明の第５の実施形態における展示梱包箱の展開図である。
【図２２】本発明の第５の実施形態における展示梱包箱の平面図である。
【図２３】図２２におけるＸ−Ｘ断面図である。
【発明を実施するための形態】
【００２６】
以下、本発明の実施形態につき図面を参照する等して説明する。以下は、本発明の一の実施形態であって本発明を限定するものではない。
【００２７】
〔第１の実施形態〕
以下、本発明の展示梱包箱の第１の実施形態について図面の図１から図９と共に説明する。
【００２８】
図１は、本発明の第１の実施形態における展示梱包箱Ａの斜視図である。
【００２９】
図１に示すように、この展示梱包箱Ａは、外周壁として、上壁１０、下壁２０、左壁３０、右壁４０及び後壁５０を有する箱体となっている。下壁２０が載置面とされている。前壁に相当する側は、内包物を見せることができるよう展示を目的として開放されている。載置面に対して立設される立設壁は、左壁３０、右壁４０及び後壁５０である。左壁３０及び右壁４０は、その側面視で台形状とされている。
【００３０】
図２、図３に示すように、上壁１０、下壁２０、左壁３０及び右壁４０については、いずれの壁についても展示梱包箱用シートＡ１が二枚分重なる二重構造とされている。二重構造は、複数の内壁と複数の外壁とで構成される。上壁１０については、外壁として上外壁１１、内壁として上内壁１２で構成される。下壁２０については、外壁として下外壁２１、内壁として下内壁２２で構成される。左壁３０については、外壁として左外壁３１、内壁として左内壁３２で構成される。右壁４０については、外壁として右外壁４１、内壁として右内壁４２で構成される。左壁３０と右壁４０の前壁に相当する側には、それぞれ左縁部７１、右縁部７２が連設して形成されている。左縁部７１は、左外壁３１と左内壁３２とを前壁に相当する側で連結している。右縁部７２は、右外壁４１と右内壁４２とを前壁に相当する側で連結している。後壁５０は、展示梱包箱用シートＡ１が三枚分重なる三重構造とされている。三重構造は、外壁として後外壁５１、内壁として後中壁５２及び後内壁５３とで構成される。三重以上に重なる外周壁は、外壁より内側の壁を内壁としている。左内壁３２、右内壁４２、後中壁５２、後内壁５３は、載置面に対して立設する複数の立設内壁である。
【００３１】
図２、図３に示すように、展示梱包箱Ａには、内包物Ｎが梱包されている。内包物Ｎは、展示梱包箱Ａに梱包されたまま展示されるようになっている。第１の実施形態では、内包物Ｎは、腕時計Ｐと、腕時計ＰがスペーサＳを介して取付けられる取付台Ｔである。取
付台Ｔは、図３に示すように側面視で略Ｌ字状となっており、水平形状の脚部Ｔaを有する。取付台Ｔの脚部Ｔａが下壁２０の下内壁２２の上に設置される。
【００３２】
展示の際には、内包物Ｎを梱包した展示梱包箱Ａをそのまま展示しても、さらにブリスターケース等に収容して展示してもよい。
【００３３】
図１、図３に示すように、展示梱包箱Ａには、ストッパー片１００が設けられている。ストッパー片１００は、面状で、左壁３０、右壁４０及び後壁５０の間であって、下内壁２２と平行に離間して設けられている。ストッパー片１００は、左内壁３２、右内壁４２、後内壁５３に対して上下方向への移動ができないように設けられている。
【００３４】
図３に示すように、取付台Ｔの脚部Ｔａが、下内壁２２とストッパー片１００との間に配置されているので、ストッパー片１００は、取付台Ｔの脚部Ｔａの上方への移動を規制する。よって、内包物Ｎの上下方向への移動が規制される。
【００３５】
なお、ストッパー片１００の下面と取付台Ｔの脚部Ｔａの上面との隙間は、必要に応じて適宜設定すれば良い。
【００３６】
図４に、展示梱包箱Ａの展開図を示す。展示梱包箱Ａは、一枚の展示梱包箱用シートＡ１で形成されている。展示梱包箱用シートＡ１に設けられた折り曲げ線を折り曲げて組み立てることで展示梱包箱Ａが完成する。展示梱包箱用シートＡ１の一方の面（図４における紙面裏側）には、展示梱包箱Ａに組み立てられた場合、視認されることを考慮して、商品名等が印刷されたり、彩飾が施されている。また、図４以降の展開図、組み立て図において、展示梱包箱用シートＡ１の折り曲げ線については、谷折線は点線、山折線は一点鎖線として示されている。切断線については実線として示されている。
【００３７】
図４にて、展示梱包箱用シートＡ１の構成を詳述する。
【００３８】
長方形状をした後外壁５１の下方には、谷折線を介して下外壁２１、下内壁２２が順に延設されている。これらを順に折り曲げることで、下壁２０が形成される。
【００３９】
下内壁２２の左右両側には、山折線を介してストッパー片台座縦部１００ａ、１００ｂ、さらに谷折線を介してストッパー片台座横部１００ｃ、１００ｄが延設されている。これらを順に折り曲げることで、後述するストッパー片１００が載置されるストッパー片台座が形成される。ストッパー片台座縦部１００ａ、１００ｂおよびストッパー片台座横部１００ｃ、１００ｄの寸法（展開図における左右方向の寸法）は、左右外壁３１、４１と左右内壁３２、４２との離間寸法に合わせて、すなわちストッパー片台座が形成された際に、ストッパー片台座が左右内外壁の離間を確保するスペーサとして機能するような寸法とする。
【００４０】
後外壁５１の上方には、谷折線を介して上外壁１１、上内壁１２が順に延設されている。これらを順に折り曲げることで、上壁１０が形成される。
【００４１】
上内壁１２の上方には、山折線を介して後中壁５２、ストッパー片１００が順に延設されている。上壁１０が形成される際に上内壁１２の山折線を折り曲げておくことで、後中壁５２が後外壁５１に重なる。
【００４２】
この実施形態では、ストッパー片１００は左右内壁３２、４２には延設されない。よって、左右内壁３２、４２は、本発明のストッパー片が連設されていない立設内壁に相当する。
【００４３】
後中壁５２が後外壁５１に重なる際に、後中壁５２の上方の山折線を折り曲げておくことで、ストッパー片１００がストッパー片台座横部１００ｃ、１００ｄに載置される。
【００４４】
後中壁５２には、ストッパー片１００との境界付近であって、山折線よりストッパー片１００側に切断線が入れられており、後中壁５２とストッパー片１００との山折線を折り曲げると後中壁５２の延長上に突出する後中壁突片５２ａが設けられている。後中壁突片５２ａは、後述するように後中壁５２の移動を規制する。
【００４５】
後外壁５１の右方には、谷折線を介して右外壁４１、右縁部７２、右内壁４２が順に延設されている。これらを順に折り曲げることで、右壁４０が形成される。右外壁４１、右内壁４２は、台形状となっている。
【００４６】
右内壁４２の右方には、山折線を介して右内壁延長片４３が設けられる。右壁４０が形成される際に、右内壁４２の山折線を折り曲げておくことで、右内壁延長片４３が後中壁５２に重なる。
【００４７】
右内壁４２と右内壁延長片４３との山折線上には、後述する後内壁５３の後内壁第二突片５３ｂが挿入される右内壁延長片スリット４３ａが形成されている。
【００４８】
右内壁４２の下部には、右内壁延長片４３との山折線から図４におけるストッパー片１００の上下方向の寸法（展示梱包箱Ａが組み立てられた状態でのストッパー片１００の前後方向（奥行き方向））に対応させた分だけを幅とする右内壁第二突片４２ｂが設けられている。右内壁第二突片４２ｂは、右内壁４２から谷折線を折り曲げることで形成される。右内壁第二突片４２ｂの高さ（谷折線から右内壁第二突片４２ｂの先端までの距離）は、右壁４０が形成された際に、右内壁第二突片４２ｂの先端が右外壁４１に当接する寸法とする。
【００４９】
右壁４０が形成される際に、右内壁４２と右内壁第二突片４２ｂとの谷折線を折り曲げておくことで、谷折線が折り曲げられた折り曲げ部と右内壁第二突片４２ｂとがストッパー片１００に重なる。
【００５０】
このストッパー片１００に重なることになる谷折線が折り曲げられた折り曲げ部と右内壁第二突片４２ｂとが、本発明のストッパー片が載置面から離間する方向の移動する規制するストッパー片規制部となる。
【００５１】
右内壁第二突片４２ｂが折り曲げられることで右内壁４２の下部に形成される右内壁第一突片４２ａは、右内壁４２とともに右内壁を構成する。
【００５２】
また、必要に応じて右内壁４２と右内壁第二突片４２ｂとの谷折線で切断するなどし、右内壁第二突片４２ｂを省略して、すなわち図４において右内壁４２と右内壁第二突片４２ｂとの谷折線に相当する部分を右内壁４２の下端（右内壁第一突片４２ａを含まない部分）とし、ストッパー片１００に重ねるようにしてもよい。この場合には、当該右内壁４２の下端（右内壁第一突片４２ａを含まない部分）が、本発明のストッパー片が載置面から離間する方向の移動する規制するストッパー片規制部となる。
【００５３】
後外壁５１の左方には、谷折線を介して左外壁３１、左縁部７１、左内壁３２が順に延設されている。これらを順に折り曲げることで、左壁３０が形成される。左外壁３１、左内壁３２は、台形状となっている。
【００５４】
左内壁３２の左方には、山折線を介して後内壁５３が設けられる。左壁３０が形成される際に、左内壁３２の山折線を折り曲げておくことで、後内壁５３が後中壁５２と右内壁延長片４３とに重なる。
【００５５】
後内壁５３には、左内壁３２との境界付近であって、山折線より左内壁３２側に切断線が入れられており、左内壁３２と後内壁５３との山折線を折り曲げることで後内壁５３の延長上に突出する後内壁第一突片５３ａが設けられている。後内壁第一突片５３ａの突出する高さは、左壁３０が形成された際に、後内壁第一突片５３ａの先端が左外壁３１に当接する寸法とする。
【００５６】
また、後内壁５３の左部には、右内壁延長片スリット４３ａに挿入される後内壁第二突片５３ｂが形成されている。後内壁第二突片５３ｂの突出する高さは、組み立てられた際に、後内壁第二突片５３ｂの先端が右外壁４１に当接する寸法とする。
【００５７】
左内壁３２の下部にも、右内壁４２と同様に左内壁第二突片３２ｂ、左内壁第一突片３２ａが設けられている。
【００５８】
よって、ストッパー片１００に重なることになる谷折線が折り曲げられた折り曲げ部と左内壁第二突片３２ｂとが、本発明のストッパー片が載置面から離間する方向の移動する規制するストッパー片規制部となる。
【００５９】
また、左内壁第二突片３２ｂを省略し、図４において左内壁３２と左内壁第二突片３２ｂとの谷折線に相当する部分を左内壁３２の下端（左内壁第一突片３２ａを含まない部分）とし、ストッパー片１００に重ねるようにしてもよい。この場合に、当該左内壁３２の下端（左内壁第一突片３２ａを含まない部分）が、本発明のストッパー片が載置面から離間する方向の移動を規制するストッパー片規制部となる。同様な構成で、右内壁４２の下端（右内壁第一突片４２ａを含まない部分）をストッパー片規制部としても良い。
【００６０】
右外壁４１および左外壁３１の上方には、谷折線を介して右第一係止片４１ａおよび左第一係止片３１ａが延設されている。右第一係止片４１ａおよび左第一係止片３１ａには、右第一係止片切込４１ａ１および左第一係止片切込３１ａ１が設けられている。右第一係止片切込４１ａ１と左第一係止片切込３１ａ１とは互いに係合するように形成されている。
【００６１】
右外壁４１および左外壁３１の下方にも、同様に右第二係止片４１ｂおよび左第二係止片３１ｂ並びに右第二係止片切込４１ｂ１および左第二係止片切込３１ｂ１が設けられている。
【００６２】
展示梱包箱Ａを組み立てるときには、右第一係止片切込４１ａ１および左第一係止片切込３１ａ１並びに右第二係止片切込４１ｂ１および左第二係止片切込３１ｂ１がそれぞれ係合して、左壁３０と右壁４０が強く結合され、展示梱包箱Ａの剛性が高くなる。
【００６３】
展示梱包箱Ａを組み立てるときには、互いに係止した右第一係止片４１ａおよび左第一係止片３１ａ並びに右第二係止片４１ｂおよび左第二係止片３１ｂは、それぞれ上外壁１１および上内壁１２並びに下外壁２１および下内壁２２の間に位置することになる。各係止片３１ａ、４１ａ、３１ｂ、４１ｂは、左右外壁３１、４１の台形の上底、下底の長さと同程度の幅としているが、幅が狭くなると剛性も低下するので、必要とする展示梱包箱Ａの剛性に応じて適宜設定する。この実施例では、左右第二係止片３１ｂ、４１ｂについては、左右第二係止片切込３１ｂ１、４１ｂ１を有する部分を除いて、左右外壁３１、４１の台形の下底の長さと同程度の幅としている。
【００６４】
次に、展示梱包箱用シートＡ１を組み立てることについて、図４から図９に基づいて説明する。
【００６５】
図４に示された展開図の状態から、後外壁５１と右外壁４１、左外壁３１との谷折線を折り曲げ右外壁４１、左外壁３１を起こす。
【００６６】
右第一係止片４１ａおよび左第一係止片３１ａを右外壁４１および左外壁３１に対して谷折し、右第一係止片切込４１ａ１と左第一係止片切込３１ａ１とを係合させる。右第二係止片４１ｂおよび左第二係止片３１ｂについても同様に係合させる（図５）。
【００６７】
下内壁２２の左右の山折線を折り曲げ、ストッパー片台座縦部１００ａ、１００ｂを起こす。下内壁２２の左右の谷折線を折り曲げ、ストッパー片台座横部１００ｃ、１００ｄを形成する。
【００６８】
係合された右第二係止片４１ｂおよび左第二係止片３１ｂを巻き込むように、後外壁５１と下外壁２１との谷折線、下外壁２１と下内壁２２との谷折線を順に折り曲げる（図６）。
【００６９】
係合された右第一係止片４１ａおよび左第一係止片３１ａを巻き込むように、後外壁５１と上外壁１１との谷折線、上外壁１１と上内壁１２との谷折線を順に折り曲げる。同時にまたはあらかじめ後中壁５２と上内壁１２との山折線、後中壁５２とストッパー片１００との山折線を折り曲げ、後中壁突片５２ａを後中壁５２の延長上に突出させる。後中壁５２は、後外壁５１に重なる。ストッパー片１００は、ストッパー片台座横部１００ｃ、１００ｄに載置される（図７）。ストッパー片台座横部１００ｃ、１００ｄとストッパー片台座縦部１００ａ、１００ｂとによりストッパー片１００は下方向（載置面へ近づく方向）への移動が規制されることになる。
【００７０】
また、後中壁突片５２ａの先端が下内壁２２に接することになり、後中壁５２と上内壁１２との山折線との部分とであいまって後中壁５２が位置決めされる。図７および図８では、ストッパー片１００で隠れて下内壁２２に先端が接した後中壁突片５２ａが点線で記載されている。
【００７１】
後中壁５２のような比較的全長が長い部材は、組立作業をするときに湾曲させて先端を差し込む等の作業を行うと折れ曲がってしまうおそれがある。しかしながら、この実施形態ではそのような作業を行う必要がないので、きれいな仕上がりの展示梱包箱が得られる。
【００７２】
右内壁４２と右内壁第二突片４２ｂとの谷折線、左内壁３２と左内壁第二突片３２ｂとの谷折線を折り曲げ、右内壁第二突片４２ｂおよび左内壁第二突片３２ｂを起こしておく（図７）。
【００７３】
また、上述した右内壁第二突片４２ｂおよび左内壁第二突片３２ｂを省略し、図４において左右内壁３２、４２と左右内壁第二突片３２ｂ、４２ｂとの谷折線に相当する部分を左右壁３２、４２の下端（左右内壁第一突片３２ａ、４２ａを含まない部分）とし、ストッパー片１００に重ねることで、ストッパー片規制部とする場合には、右内壁第二突片４２ｂおよび左内壁第二突片３２ｂを起こしておく工程を省略することができる。
【００７４】
右内壁４２と右内壁延長片４３との山折線を折り曲げる。
【００７５】
右外壁４１と右縁部７２との谷折線、右縁部７２と右内壁４２との谷折線を順に折り曲げ右壁４０を形成する（図８）。
【００７６】
右壁４０が形成された際に、右内壁第二突片４２ｂが起こされているので、右内壁４２と右内壁第二突片４２ｂとの折り曲げ部とともに右内壁第二突片４２ｂがストッパー片１００に重なる。図８および図９では、右内壁４２で隠れて、ストッパー片１００に重なった右内壁第二突片４２ｂが点線で記載されている。この右内壁４２と右内壁第二突片４２ｂとの折り曲げ部と右内壁第二突片４２ｂとによって、ストッパー片１００の上方向（載置面から離間する方向）への移動が規制される。
【００７７】
また、上述したように、右内壁第二突片４２ｂを省略した場合には、右壁４０が形成された際に、図４において右内壁４２と右内壁第二突片４２ｂとの谷折線に相当する部分が右壁４２の下端（右内壁第一突片４２ａを含まない部分）として、ストッパー片１００に重なる。当該右壁４２の下端（右内壁第一突片４２ａを含まない部分）によって、ストッパー片１００の上方向（載置面から離間する方向）への移動が規制される。
【００７８】
右壁４０が形成された際に、右内壁第二突片４２ｂの先端が右外壁４１に、右内壁第一突片４２ａがストッパー片台座縦部１００ａにそれぞれ当接するので、右壁４０の右縁部７２分の幅が確保される。換言すると、右内壁第二突片４２ｂおよびストッパー片台座（ストッパー片台座縦部１００ａ、ストッパー片台座横部１００ｃ）は、右外壁４１と右内壁４２との間隔を保つスペーサとして機能する。
【００７９】
右内壁第一突片４２ａおよび右縁部７２によって、ストッパー片１００が載置されていない部分のストッパー片台座縦部１００ａおよびストッパー片台座横部１００ｃが隠される。よって、展示するときの見栄えも良くなる。
【００８０】
右壁４０が形成される際に、右内壁４２と右内壁延長片４３との山折線を折り曲げられており、右内壁延長片４３は後中壁５２と重なる（図８）。
【００８１】
左内壁３２と後内壁５３との山折線を折り曲げ、後内壁第一突片５３ａを後内壁５３の延長上に突出させる。
【００８２】
左外壁３１と左縁部７１との谷折線、左縁部７１と左内壁３２との谷折線を順に折り曲げ左壁３０を形成する（図９）。
【００８３】
左壁３０が形成された際に、左内壁第二突片３２ｂが起こされているので、左内壁３２と左内壁第二突片３２ｂとの折り曲げ部とともに左内壁第二突片３２ｂがストッパー片１００に重なる。図１では、左内壁３２で隠れて、ストッパー片１００に重なっている左内壁第二突片３２ｂが点線で記載されている。この左内壁３２と左内壁第二突片３２ｂとの折り曲げ部と左内壁第二突片３２ｂとによって、ストッパー片１００の上方向（載置面から離間する方向）への移動が規制される。
【００８４】
また、上述した左内壁第二突片３２ｂを省略した場合には、左壁３０が形成された際に、図４において左内壁３２と左内壁第二突片３２ｂとの谷折線に相当する部分が左内壁３２の下端（左内壁第一突片３２ａを含まない部分）として、ストッパー片１００に重なる。当該左内壁３２の下端（左内壁第一突片３２ａを含まない部分）によって、ストッパー片１００の上方向（載置面から離間する方向）への移動が規制される。
【００８５】
ストッパー片１００は、左内壁３２と左内壁第二突片３２ｂとの折り曲げ部及び左内壁第二突片３２ｂで構成されるストッパー片規制部と、右内壁４２と右内壁第二突片４２ｂ
との折り曲げ部及び右内壁第二突片４２ｂで構成されるストッパー片規制部との二箇所によって、上方向（載置面から離間する方向）への移動が規制されるので、より強い上方向の力に対してその移動を規制することができる。また、ストッパー片１００は、左右のストッパー片規制部（左内壁３２と左内壁第二突片３２ｂとの折り曲げ部及び左内壁第二突片３２ｂで構成されるストッパー片規制部と、右内壁４２と右内壁第二突片４２ｂとの折り曲げ部及び右内壁第二突片４２ｂで構成されるストッパー片規制部）と左右ストッパー片台座横部１００ｃ、１００ｄとで挟まれるので、ストッパー片がより安定する。
【００８６】
また、上述した左右内壁第二突片３２ｂ、４２ｂを省略した場合には、ストッパー片１００の上方向（載置面から離間する方向）への移動を二箇所で規制するのは、図４において左右内壁３２、４２と左右内壁第二突片３２ｂ、４２ｂとの谷折線に相当する部分が左右壁３２、４２の下端（左右内壁第一突片３２ａ、４２ａを含まない部分）となる。
【００８７】
この実施形態では、ストッパー片規制部が左右内壁３２、４２の二箇所に設けられている。よって、左右内壁３２、４２は、本発明のストッパー片規制部が設けられる複数の立設内壁に相当する。
【００８８】
左内壁第二突片３２ｂおよびストッパー片台座（ストッパー片台座縦部１００ｂ、ストッパー片台座横部１００ｄ）は、右壁４０と同様に左外壁３１と左内壁３２との間隔を保つスペーサとして機能する。
【００８９】
左内壁第一突片３２ａおよび左縁部７１によって、ストッパー片１００が載置されていない部分のストッパー片台座縦部１００ｂおよびストッパー片台座横部１００ｄが隠される。よって、展示するときの見栄えも良くなる。
【００９０】
左壁３０が形成される際に、左内壁３２と後内壁５３との山折線が折り曲げられており、後内壁５３は後中壁５２と右内壁延長片４３とに重なる。
【００９１】
左壁３０が形成される際に、後内壁第二突片５３ｂは、右内壁延長片スリット４３ａに挿入され、その先端は右外壁４１に当接する。図９では、右内壁４２で隠れて、右内壁延長片スリット４３ａに挿入された後内壁第二突片５３ｂを点線で記載している。
【００９２】
左壁３０が形成される際に、後内壁第一突片５３ａの先端は、左外壁３１に当接する（図示しない）。よって、後内壁第一突片５３ａも左外壁３１と左内壁３２との間隔を保つスペーサとして機能する。
【００９３】
後内壁第一突片５３ａおよび後内壁第二突片５３ｂの各先端が、左外壁３１および右外壁４１に当接するので、後内壁５３が固定される。その固定により後中壁５２も固定されストッパー片１００もより安定する。
【００９４】
図９の状態から、図１に示すように下壁２０を載置面とする。このようにして、展示梱包箱用シートＡ１を折り曲げて組み立てて展示梱包箱Ａが完成する。
【００９５】
完成した展示梱包箱Ａは、図１、図３に示すように後内壁５３の部分に出っ張りもなく内包物Ｎを収容するための十分なスペースが確保できる。確保されたスペースには、例えば、取扱説明書や付属品等を収容させることができる。
【００９６】
また、ストッパー片１００の上方向への移動を規制する左右内壁第二突片３２ｂ、４２ｂが左右内壁３２、４２で隠れるので、展示するときにも見栄えがよい。
【００９７】
尚、ストッパー片１００は、上外壁１１と上内壁１２のように、ストッパー片１００に補強片を重ねて折り込む構成にしても良い。この場合は、例えば、ストッパー片１００における後中壁５２とは反対側の端部に、谷折りの折り曲げ部を介して補強片を形成する。この補強片は、追加した谷折の折り曲げ部を挟んでストッパー片１００とは線対称の形状に形成する。そして、ストッパー片１００と補強片とを対向させるように補強片を折り曲げる。この状態で、ストッパー片１００と補強部を、前述のストッパー片１００と同様に、ストッパー片規制部である左右内壁３２、４２の下端又は左右内壁第二突片３２ｂ、４２ｂと、ストッパー片台座横部２００ｄとで挟む。この構成により、取付台Ｔの脚部Ｔａが上方に移動したときに、脚部Ｔａからストッパー片１００側に、より大きな力が加わっても、ストッパー片１００の変形を防ぐことができる。
【００９８】
このように、ストッパー片１００に補強片を折り重ねる構成は、後述する第２及び第３の実施形態にも同様に適用することができる。
【００９９】
〔第１の実施形態の変形例〕
第１の実施形態においては、左壁３０が形成される際に組み立ての最終工程である後内壁５３が後中壁５２に重なり固定されるものである。当該工程においては、後内壁５３が左内壁３２に連設されていることから、組み立て作業者は後内壁５３を左手で持つことが多くなる。そうすると、組み立て作業者の利き腕が右手の場合には、当該作業を行いづらくなってしまう。組み立て作業者の利き腕に右手が多い場合には、左壁３０を先に形成した後に右壁４０を形成しその際に後内壁５３が固定されるようにすることで対応できる。具体的には、図４において、右内壁延長片４３に代えて後内壁５３を右内壁４２の右方に連設し、それに伴い左内壁３２の左方に左内壁延長片を連設した展示梱包箱用シートとする。
【０１００】
〔第２の実施形態〕
以下、本発明の展示梱包箱の第２の実施形態について図面の図１０と共に説明する。なお、第１の実施形態と同様の部分については説明を省略し、異なる部分について説明する。
【０１０１】
第２の実施形態は、第１の実施形態における展示梱包箱用シートＡ１でのストッパー片１００が設けられる位置が異なる。
【０１０２】
第２の実施形態では、第１の実施形態の右内壁第二突片４２ｂの代わりに、右内壁４２の下方にストッパー片２００が山折線を介して延設されている。ストッパー片２００の下方には、谷折線を介してストッパー片延長部２００ｅが延設されている。
【０１０３】
この実施形態では、ストッパー片２００は左内壁３２、後中壁５２には延設されない。よって、左内壁３２、後中壁５２、後内壁５３は、本発明のストッパー片が連設されていない立設内壁に相当する。
【０１０４】
組み立てるときにおいて、右壁４０が形成される際にストッパー片２００が、ストッパー片台座横部２００ｃ、２００ｄに載置される。また、左内壁３２と左内壁第二突片３２ｂとの折り曲げ部と左内壁第二突片３２ｂとがストッパー片２００に重なることで、ストッパー片２００の上方向（載置部から離間する方向）への移動を規制するようになる。左内壁３２と左内壁第二突片３２ｂとの折り曲げ部と左内壁第二突片３２ｂとが本発明のストッパー片規制部である。このストッパー片規制部と対向するストッパー片台座横部２００ｄとでストッパー片２００を挟むことになる。
【０１０５】
また、第１の実施形態のときの左右内壁第二突片３２ｂ、４２ｂを省略した場合と同様に、第２の実施形態においても左内壁第二突片３２を省略してもよい。この場合には、図
１０において左内壁３２と左内壁第二突片３２ｂとの谷折線に相当する部分が左壁３２の下端（左内壁第一突片３２ａを含まない部分）として、ストッパー片２００に重なる。当該左壁３２の下端（左内壁第一突片３２ａを含まない部分）によって、ストッパー片２００の上方向（載置面から離間する方向）への移動が規制される。よって、当該左壁３２の下端（左内壁第一突片３２ａを含まない部分）が本発明のストッパー片規制部となる。このストッパー片規制部と対向するストッパー片台座横部２００ｄとでストッパー片２００を挟むことになる。
【０１０６】
ストッパー片延長部２００ｅの谷折線は、組み立てられた際に左外壁３１に当接する位置に設定されている。また、ストッパー片延長部２００ｅの先端が、下外壁２１に当接する。よって、ストッパー片延長部２００ｅは、ストッパー片２００の脚として機能し、ストッパー片台座（ストッパー片台座縦部２００ａ、２００ｂ、ストッパー片台座横部２００ｃ、２００ｄ）とともにストッパー片２００の下方向（載置部に近づく方向）への移動を規制するようになる。なお、ストッパー片延長部２００ｅの谷折線を山折線とすると、左内壁第二突片３２ｂの先端から上方に折れ曲がることになり、左内壁第二突片３２ｂと係合し、ストッパー片２００の上方向（載置部から離間する方向）への移動をより規制できるようになる。また、その係合によって、ストッパー片延長部２００ｅが、左内壁第二突片３２ｂとストッパー片台座横部２００ｄとに挟まれた部分から抜けにくくなる。
【０１０７】
第２の実施形態は、第１の実施形態における展示梱包箱用シートＡ１の後中壁突片５２ａがなく、後中壁５２の先端が下外壁２１に当接することで、後中壁突片５２ａと同様の機能が得られる。
【０１０８】
この場合の組み立て順序は、第１の実施形態と異なり、上壁１０を形成して後中壁５２を後外壁５１に重ねた後に、下壁２０を形成するようにしてもよい。
【０１０９】
〔第２の実施形態の変形例〕
第２の実施形態においても、第１の実施形態の変形例と同様に、図１０において、右内壁延長片４３に代えて後内壁５３を右内壁４２の右方に連設し、それに伴い左内壁３２の左方に左内壁延長片を連設した展示梱包箱用シートとする。また、左内壁第二突片３２ｂに代えてストッパー片２００を左内壁３２に連設し、ストッパー片２００に代えて右内壁第二突片を設ける。このようにすることで、組み立て作業者の利き腕に右手が多い場合には、左壁３０を先に形成した後に右壁４０を形成しその際に後内壁５３が固定されるようにして対応できる。
【０１１０】
〔第３の実施形態〕
以下、本発明の展示梱包箱の第３の実施形態について図面の図１１から図１３と共に説明する。なお、第１、２の実施形態と同様の部分については説明を省略し、異なる部分について説明する。
【０１１１】
図１１に示すように、第３の実施形態では、第２の実施形態におけるストッパー片２００を設ける位置について、左内壁３２の下方に左内壁第二突片３２ｂの代わりにストッパー片３００が設けられたものである。
【０１１２】
この実施形態では、ストッパー片３００は右内壁４２、後中壁５２には延設されない。よって、右内壁４２、後中壁５２、左右後内壁５３１及び５３２は、本発明のストッパー片が連設されていない立設内壁に相当する。
【０１１３】
ストッパー片台座縦部２００ａ、２００ｂおよびストッパー片台座横部２００ｃ、２００ｄをなくしている。下内壁２２の下方には、山折線を介して下内壁延長片２２ｅが延設
されている。ストッパー片３００の下方には、谷折線を介してストッパー片延長部３００ｅが延設されている。ストッパー片延長部３００ｅがストッパー片３００の脚として機能し、ストッパー片３００の下方向（載置部に近づく方向）への移動を規制するようになる（図１２）。
【０１１４】
上内壁１２および後中壁５２について、その幅が上外壁１１より少なくなっており、その分材料を少なくすることができる。上内壁１２は、左右壁３０、４０が形成された際に左右壁３０、４０の上端部であって左右縁部７１、７２による厚み分だけ隠れことになるので、その分の幅を限度に少なくすることができる。後中壁５２は、後述するように左右後内壁５３１、５３２に覆われ隠れるので、さらにその幅を少なくすることができる。
【０１１５】
第３の実施形態では、第１および２の実施形態における右内壁延長片４３をなくし、後内壁５３に相当する部分を分割するように形成した左右後内壁５３１、５３２を、左右内壁３２、４２に山折部を介して延設されている。左右後内壁５３１、５３２は、第１および２の実施形態における後内壁第一突片５３ａと同様の構成機能をもつ左右後内壁第一突片５３１ａ、５３２ａを有する。
【０１１６】
左右後内壁５３１、５３２は、組み立てられた際に下内壁２２に先端が当接する左右後内壁第二突片５３１ｂ、５３１ｂを有する。左右後内壁５３１、５３２は、観音開きのように両者が閉じた状態で後内壁を構成することになるが、左右後内壁５３１、５３２の上端が上内壁１２に当接し、左右後内壁第二突片５３１ｂ、５３２ｂの先端が下内壁５２に当接することになるので、左右後内壁５３１、５３２の開く方向への移動が規制されることになる。
【０１１７】
組み立て手順は、第１の実施形態の組み立て手順と、下壁２０の形成、上壁１０の形成、後中壁５２を後外壁５１に重ねるまでの手順は同様である。但し、下壁２０の形成の際には、下内壁２２と下内壁延長片２２eとの山折線を折り曲げ、下内壁延長片２２ｅを後外壁５１に重ねる。このように、下内壁延長片２２ｅが後外壁５１に重なることで、下内壁２２の位置が決められ下外壁２１から離れないようになる。また、後中壁５２は、後外壁５１と下内壁延長片２２ｅとに重ねられる。後中壁５２の先端部は、下内壁２２に当接するので、第１の実施形態と同様に後中壁５２の位置が決められる。図１２には、下内壁延長片２２ｅによって位置決めされた下内壁２２と、下内壁延長片２２ｅに重なっている後中壁５２が記載されている。
【０１１８】
左内壁３２とストッパー片３００との山折線、ストッパー片３００とストッパー片延長部３００ｅとの谷折線を折り曲げ、ストッパー片３００を起こしておく。左内壁３２と左後内壁５３１との山折線を折り曲げ、左後内壁第一突片５３１ａを突出させる。
【０１１９】
左外壁３１と左縁部７１との谷折線、左縁部７１と左内壁３２との谷折線を順に折り曲げ左壁３０を形成する。左後内壁５３１は、後中壁５２の左半分に重ねられる（図１２）。左内壁３２の上端および左後内壁５３１の上端並びに左内壁第一突片３２ａおよび左後内壁第二突片５３１ｂが、それぞれ上内壁１２と下内壁２２とに当接するので、左内壁３２および左後内壁５３１の位置が決められる。
【０１２０】
左壁３０が形成された際に、ストッパー片延長部３００ｅを脚として、ストッパー片３００も形成される。
【０１２１】
右内壁４２と右内壁第二突片４２ｂとの谷折線を折り曲げ、右内壁第二突片４２ｂを起こしておく（図１２）。
【０１２２】
また、第１、２の実施形態と同様に、右内壁第二突片４２ｂを省略し、図１１において右内壁４２と右内壁第二突片４２ｂとの谷折線に相当する部分を右壁４２の下端（右内壁第一突片４２ａを含まない部分）とし、ストッパー片３００に重ねることで、ストッパー片規制部とする場合には、右内壁第二突片４２ｂを起こしておく工程を省略することができる。
【０１２３】
右内壁４２と右後内壁５３２との山折線を折り曲げ、右後内壁第一突片５３２ａを突出させる。
【０１２４】
右外壁４１と右縁部７２との谷折線、右縁部７２と右内壁４２との谷折線を順に折り曲げ右壁４０を形成する。右後内壁５３２は、後中壁５２の右半分に重ねられる。
【０１２５】
右壁４０を形成する際には、ストッパー片３００が既に形成されているので、右後内壁第二突片５３２ｂをストッパー片３００の後端と後中壁５２との間に差し込んで組み立てる。この際には、右壁４０の形成は右手で形成されることが多いので、右手が利き腕の作業者にとっては組み立てやすい。
【０１２６】
右内壁４２の上端および右後内壁５３２の上端並びに右内壁第一突片４２ａおよび右後内壁第二突片５３２ｂが、それぞれ上内壁１２と下内壁２２とに当接するので、右内壁４２および右後内壁５３２の位置が決められる。
【０１２７】
右壁４０が形成された際に、右内壁４２と右内壁第二突片４２ｂとの折り曲げ部と右内壁第二突片４２ｂとがストッパー片３００に重なり、ストッパー片３００の上方向（載置面から離間する方向）への移動が規制されるようになるのは、第１、２の実施態様と同様である。よって、この右内壁４２と右内壁第二突片４２ｂとの折り曲げ部と右内壁第二突片４２ｂとが、本発明のストッパー片規制部となる。
【０１２８】
また、第１、第２の実施形態と同様に、右内壁第二突片４２ｂを省略し、図１１において右内壁４２と右内壁第二突片４２ｂとの谷折線に相当する部分を右壁４２の下端（右内壁第一突片４２ａを含まない部分）としてストッパー片３００に重ねる場合には、当該右壁４２の下端（右内壁第一突片４２ａを含まない部分）が、本発明のストッパー片規制部となる。
【０１２９】
第３の実施形態では、ストッパー片３００の台座を設けず、ストッパー片延長部３００ｅを脚とする簡易な構成としたので、組み立て工程が簡略化される。
【０１３０】
組み立てられた際に、左右後内壁第二突片５３１ｂ、５３２ｂが、ストッパー片３００の後端と後中壁５２との間に位置するので、左右後内壁５３１、５３２が前面に開こうとすることをストッパー片３００により規制することができる。
【０１３１】
図１３に示すように下壁２０を載置面とする。このようにして、展示梱包箱用シートＡ３を折り曲げて組み立てて展示梱包箱Ａが完成する。
【０１３２】
〔第３の実施形態の変形例〕
第３の実施形態における組み立てについては、最終工程で左右後内壁５３１、５３２を形成するが、左右後内壁５３１、５３２を形成した後に、その上に後中壁５２を重ねるようにしても良い。その場合には、完成した展示梱包箱の後内壁５３１、５３２で形成される境界線が、重なった後中壁５２によって隠されるので、見栄えも良くなる。また、最終工程で左右後内壁５３１、５３２を形成した後に、その上に後中壁５２を重ねる際には、ストッパー片３００の後端と左右後内壁５３１、５３２との間に後中壁５２の先端を挿入す
るようにして組み立てる。このような場合には、左右壁３０、４０が形成された後に上内壁１２と後中壁５２が形成されるために、上内壁１２と後中壁５２の幅を左右壁３０、４０の厚さ分細くしておく。
【０１３３】
〔第４の実施形態〕
以下、本発明の展示梱包箱の第４の実施形態について図面の図１４から図２０と共に説明する。なお、第１から３の実施形態と同様の部分については説明を適宜省略して、主に異なる部分について説明する。
【０１３４】
図１４は、本発明の第４の実施形態における展示梱包箱Ｂの斜視図である。
【０１３５】
第４の実施形態が、第１から第３の実施形態と異なる主な点は、内包物を見せるための開放させる面が上壁に相当する側であることおよび左右壁の形状が側面視で長方形であることである。また、ストッパー片で移動を規制する対象の内包物Ｎが、取付台Ｔを含まない商品Ｐ自体であることである。
【０１３６】
図１４に示すように、この展示梱包箱Ｂは、外周壁として、下壁２０、前壁６０、後壁５０、左壁３０および右壁４０を有する箱体となっている。下壁２０が載置面とされている。上壁に相当する側は、内包物を見せることができるよう展示を目的として開放されている。載置面に対して立設される立設壁は、前壁６０、後壁５０、左壁３０および右壁４０である。左壁３０及び右壁４０は、その側面視で長方形とされている。
【０１３７】
図１４、図１５に示すように、前壁６０、後壁５０、左壁３０および右壁４０については、いずれの壁についても展示梱包箱用シートＢ１が二枚分重なる二重構造とされている。二重構造は、複数の内壁と複数の外壁とで構成される。前壁６０については、外壁として前外壁６１、内壁として前内壁６２で構成される。後壁５０については、外壁として後外壁５１、内壁として後内壁５２で構成される。左壁３０については、外壁として左外壁３１、内壁として左内壁３２で構成される。右壁４０については、外壁として右外壁４１、内壁として右内壁４２で構成される。左壁３０と右壁４０の上壁に相当する側には、それぞれ左縁部７１、右縁部７２が連設して形成されている。左縁部７１は、左外壁３１と左内壁３２とを上壁に相当する側で連結している。右縁部７２は、右外壁４１と右内壁４２とを上壁に相当する側で連結している。下壁２０は、展示梱包箱用シートＢ１が三枚分重なる三重構造とされている。三重構造は、図１６に示すように、外壁として下外壁２１、内壁として下中壁２２及び下内壁２３とで構成される。三重以上に重なる外周壁は、外壁より内側の壁を内壁としている。左内壁３２、右内壁４２、後内壁５２、前内壁６２は、載置面に対して立設する複数の立設内壁である。
【０１３８】
図１５、図１６に示すように、展示梱包箱Ｂには、内包物Ｎが梱包されている。内包物Ｎは、展示梱包箱Ｂに梱包されたまま展示されるようになっている。第４の実施形態では、内包物Ｎは、特に限定されない商品Ｐである。
【０１３９】
図１４から図１６に示すように、展示梱包箱Ｂには、ストッパー片４００が設けられている。ストッパー片４００は、面状で、左壁３０および右壁４０の間であって、下内壁２３と平行に離間して設けられている。ストッパー片４００は、左右内壁３２、４２、前後内壁６２、５２に対して上下方向への移動ができないように設けられている。
【０１４０】
図１６に示すように、商品Ｐが、下内壁２３とストッパー片４００との間に配置させられているので、ストッパー片４００は、商品Ｐの上方への移動を規制する。よって、商品Ｐの上下方向への移動が記載される。
【０１４１】
なお、ストッパー片４００の下面と商品Ｐの上面との隙間は、必要に応じて適宜設定すれば良い。
【０１４２】
図１７にて、展示梱包箱用シートＢ１の構成を詳述する。
【０１４３】
長方形状をした下外壁２１の下方には、谷折線を介して前外壁６１、前内壁６２が順に延設されている。これらを順に折り曲げることで、前壁６０が形成される。
【０１４４】
下外壁２１の上方には、谷折線を介して後外壁５１、後内壁５２が順に延設されている。これらを順に折り曲げることで、後壁５０が形成される。
【０１４５】
下外壁２１の左方には、谷折線を介して左外壁３１、左縁部７１、左内壁３２が順に延設されている。これらを順に折り曲げることで、左壁３０が形成される。左外壁３１、左内壁３２は、長方形状となっている。
【０１４６】
左内壁３２の左方には、山折線を介して下中壁２２が設けられる。左壁３０が形成される際に、左内壁３２の山折線を折り曲げておくことで、下中壁２２が下外壁２１に重なる。
【０１４７】
左内壁３２の上方には谷折線を介して左内壁第一延長片３２ｄ、下方には谷折線を介して左内壁第二延長片３２ｅが設けられている。これらは、左壁３０が形成される際に、両者の谷折線を折り曲げておくことで、谷折線が折り曲げられた折り曲げ部とともに左内壁第一延長片３２ｄおよび左内壁第二延長片３２ｅが隣接する前後内壁６２、５２に重なることで、組み立てるときに隣接する前後内壁６２、５２が対応する前後外壁６１、５１から離れるのを規制するようになっている。この谷折線が折り曲げられた折り曲げ部が、隣接内壁規制部折り曲げ部で、左内壁第一延長片３２ｄと左内壁第二延長片３２ｅとが隣接内壁規制部延長片であり、両者が本発明の隣接内壁規制部に相当する。
【０１４８】
なお、左内壁第一延長片３２ｄと左内壁第二延長片３２ｅとを省略して、左内壁３２の前後方向の端部で隣接する前後内壁６２、５２が対応する前後外壁６１、５１から離れるのを規制するようにしても良い。この場合には、左内壁３２の前後方向の端部が、本発明の隣接内壁規制部に相当する。
【０１４９】
左内壁３２の後述するストッパー片延長部４００ｅに対応する位置には、左内壁第二突片３２ｂが設けられている。左内壁第二突片３２ｂは、ストッパー片延長部４００ｅと同程度の形状で、左縁部７１側が山折線であり、他の部分が切断線で構成されている。組み立てるときに左内壁第二突片３２ｂの山折線を折り曲げることで、左内壁３２に開口が形成される。この開口の上部の左内壁３２と左内壁第二突片３２ｂとの折り曲げ部と左内壁第二突片３２ｂとがストッパー片４００に重なり、ストッパー片４００が上方向（載置面から離間する方向）に移動するのを規制する本発明のストッパー片規制部となる。また、ストッパー片延長部４００ｅが後述するように係合する。
【０１５０】
また、この左内壁第二突片３２ｂを省略して、あらかじめ開口として、当該開口の上部を、ストッパー片４００に重ね、ストッパー片４００が上方向（載置面から離間する方向）に移動するのを規制する本発明のストッパー片規制部とするようにしてもよい。
【０１５１】
左内壁３２と下中壁２２との山折線上には、後述する下内壁２３の下内壁第二突片２３ｃ、２３ｄが挿入される下中壁スリット２２ｂ、２２ｃが形成されている。
【０１５２】
下中壁２２には、左内壁３２との境界付近であって、山折線より左内壁３２側に切断線
が入れられており、左内壁３２と下中壁２２との山折線を折り曲げることで下中壁２２の延長上に突出する下中壁突片２２ａが設けられている。下中壁突片２２ａの突出する高さは、左壁３０が形成された際に、下中壁突片２２ａの先端が左外壁３１に当接する寸法とする。
【０１５３】
下外壁２１の右方には、谷折線を介して右外壁４１、右縁部７２、右内壁４２が順に延設されている。これらを順に折り曲げることで、右壁４０が形成される。右外壁４１、右内壁４２は、長方形状となっている。
【０１５４】
右内壁４２の右方には、山折線を介して下内壁２３が設けられる。右壁４０が形成される際に、右内壁４２の山折線を折り曲げておくことで、下内壁２３が下中壁２２に重なる。
【０１５５】
右内壁４２にも、左内壁３２の左内壁第一延長片３２ｄおよび左内壁第二延長片３２ｅと同様、右内壁第一延長片４２ｄおよび右内壁第二延長片４２ｅが設けられている。
【０１５６】
右内壁第一延長片４２ｄおよび右内壁第二延長片４２ｅについても、左内壁３２の左内壁第一延長片３２ｄおよび左内壁第二延長片３２ｅと同様に省略しても良い。
【０１５７】
ストッパー片４００は、右内壁４２と下内壁２３とにわたって設けられている。ストッパー片４００は、右部にストッパー片延長部４００ｅを有しており、その境界には山折線が形成されている。ストッパー片４００は、右内壁４２と下内壁２３とにわたる切断線と右内壁４２との山折線とで、その輪郭が形成されている。
【０１５８】
この実施形態では、ストッパー片４００は左内壁３２、前後内壁５２、６２には延設されていない。よって、左内壁３２、前後内壁５２、６２は、本発明のストッパー片が連設されていない立設内壁に相当する。
【０１５９】
ストッパー片４００は、ストッパー片延長部４００ｅが、対向する左内壁３２に設けられる左内壁第二突片３２ｂと左内壁第二突片３２ｂを折り曲げることで形成される開口と係合するものである。よって、ストッパー片４００の左右方向の長さは、左右内壁３２、４２の離間距離に基づいて設定される。
【０１６０】
ストッパー片４００と右内壁４２との山折線の位置は、商品Ｐの移動をストッパー片４００が抑える位置に基づいて設定される。
【０１６１】
下内壁２３の右部には、下中壁スリット２２ｂ、２２ｃにそれぞれ挿入される下内壁第二突片２３ｃ、２３ｄが形成されている。下内壁第二突片２３ｃ、２３ｄの突出する高さは、組み立てられた際に、下内壁第二突片２３ｃ、２３ｄの先端が左外壁３１に当接する寸法とする。
【０１６２】
下内壁２３にも、下中壁２２の下中壁突片２２ａと同様の下内壁第一突片２３ａ、２３ｂが設けられている。
【０１６３】
次に、展示梱包箱用シートＢ１を組み立てることについて、図１４および図１７から図２０に基づいて説明する。
【０１６４】
図１７に示された展開図の状態から、下外壁２１と右外壁４１、左外壁３１との谷折線を折り曲げ右外壁４１、左外壁３１を起こす。
【０１６５】
右第一係止片４１ａおよび左第一係止片３１ａを右外壁４１および左外壁３１に対して谷折し、右第一係止片切込４１ａ１と左第一係止片切込３１ａ１とを係合させる。右第二係止片４１ｂおよび左第二係止片３１ｂについても同様に係合させる（図１８）。
【０１６６】
係合された右第一係止片４１ａおよび左第一係止片３１ａ並びに右第二係止片４１ｂおよび左第二係止片３１ｂをそれぞれ巻き込むように、下外壁２１と前後外壁６１、５１との谷折線、前後外壁６１、５１と前後内壁６２、５２との谷折線を順に折り曲げる（図１９）。
【０１６７】
右内壁４２と右内壁第一延長片４２ｄおよび右内壁第二延長片４２ｅとの谷折線、左内壁３２と左内壁第一延長片３２ｄおよび左内壁第二延長片３２ｅとの谷折線を折り曲げ、右内壁第一延長片４２ｄ、右内壁第二延長片４２ｅ、左内壁第一延長片３２ｄおよび左内壁第二延長片３２ｅを起こしておく（図１９）。
【０１６８】
また、上述したように、左右内壁第一、第二延長片３２ｄ、３２ｅ、４２ｄ、４２ｅを省略した場合には、左右内壁第一、第二延長片３２ｄ、３２ｅ、４２ｄ、４２ｅを起こしておく工程を省略することができる。
【０１６９】
左内壁３２と下中壁２２との山折線を折り曲げる。下中壁突片２２ａが形成される。
【０１７０】
左外壁３１と左縁部７１との谷折線、左縁部７１と左内壁３２との谷折線を順に折り曲げ左壁３０を形成する（図２０）。
【０１７１】
左壁３０が形成された際に、左内壁第一延長片３２ｄおよび左内壁第二延長片３２ｅが起こされているので、左内壁第一延長片３２ｄおよび左内壁第二延長片３２ｅが、左内壁３２との谷折線が折り曲げられた折り曲げ部とともに、それぞれ隣接する後内壁５２および前内壁６２に重なる。図２０では、左内壁３２で隠れて、後内壁５２に重なった左内壁第一延長片３２ｄが点線で記載されている。この左内壁第一延長片３２ｄおよび左内壁第二延長片３２ｅ並びにそれらの折り曲げ部とによって、隣接する前内壁６２および後内壁５２が対応する前外壁６１および後外壁５１から開く方向（前後外壁６１、５１および前後内壁６２、５２との谷折線を軸として回転し前後外壁６１、５１から離間する方向）への移動が規制される。よって、この谷折線が折り曲げられた折り曲げ部が、隣接内壁規制部折り曲げ部で、左内壁第一延長片３２ｄと左内壁第二延長片３２ｅとが隣接内壁規制部延長片であり、両者が本発明の隣接内壁規制部に相当する。
【０１７２】
さらに、左内壁第一延長片３２ｄおよび左内壁第二延長片３２ｅの先端が左外壁３１に当接するようになっており、左内壁第一延長片３２ｄおよび左内壁第二延長片３２ｅは、左外壁３１と左内壁３２との間隔を保つスペーサとしても機能する。
【０１７３】
また、上述したように、左内壁第一、第二延長片３２ｄ、３２ｅを省略した場合には、左内壁３２の前後方向の端部が隣接する前後内壁６２、５２と重なり、前後内壁６２、５２が、対応する前後外壁６１、５１から開く方向（前後外壁６１、５１および前後内壁６２、５２との谷折線を軸として回転し前後外壁６１、５１から離間する方向）の移動を規制することになる。よって、この場合には、左内壁３２の前後方向の端部が、本発明の隣接内壁規制部に相当する。
【０１７４】
左壁３０が形成される際に、左内壁３２と下中壁２２との山折線を折り曲げられており、下中壁２２は下外壁２１に重なる。
【０１７５】
左壁３０が形成される際に、下中壁突片２２ａの先端は、左外壁３１に当接する。図１
４および図２０では、左内壁３２で隠れて、先端が左外壁３１に当接した下中壁突片２２ａが点線で記載されている。下中壁突片２２ａは、左外壁３１と左内壁３２との間隔を保つスペーサとして機能する。
【０１７６】
左内壁第二突片３２ｂと左内壁３２との山折線を折り曲げ、開口とし、当該開口の上部の折り曲げ部と左内壁第二突片３２ｂを、ストッパー片４００が配置されたときに重なりストッパー片４００の載置面から離間する方向への移動を規制することになるストッパー片規制部として形成する（図２０）。
【０１７７】
ストッパー片延長部４００ｅは、この開口と係合する。
【０１７８】
なお、左内壁第二突片３２ｂは左内壁３２から突出しているが、左内壁第二突片３２ｂと左内壁３２との山折線を谷折線にして、左内壁第二突片３２ｂは左内壁３２から突出しないようにして、ストッパー片延長部４００ｅを係合させるようにしても良い。そのように構成すると、左内壁第二突片３２ｂが左内壁３２に隠れるので、見栄えも良くなり、また、ストッパー片延長部４００ｅの開口からの抜け止め効果も更に高めることができる。
【０１７９】
ストッパー片４００と右内壁４２との山折線を折り曲げておく。図２０では、便宜のために、ストッパー片４００が山折線で折り曲げられた状態でなく、谷折に折り曲げられた状態を示している。
【０１８０】
右内壁４２と下内壁２３との山折線を折り曲げ、下内壁第一突片２３ａ、２３ｂを下内壁２３の延長上に突出させる。
【０１８１】
右外壁４１と右縁部７２との谷折線、右縁部７２と右内壁４２との谷折線を順に折り曲げ右壁４０を形成する。
【０１８２】
右壁４０が形成される際に、右内壁第一延長片４２ｄおよび右内壁第二延長片４２ｅは、右内壁４２との谷折線が折り曲げられた折り曲げ部とともに、左内壁第一延長片３２ｄおよび左内壁第二延長片３２ｅ並び左内壁３２との谷折線が折り曲げられた折り曲げ部と同様の機能を発揮する。よって、この谷折線が折り曲げられた折り曲げ部が、隣接内壁規制部折り曲げ部で、右内壁第一延長片４２ｄと右内壁第二延長片４２ｅとが隣接内壁規制部延長片であり、両者が本発明の隣接内壁規制部に相当する。
【０１８３】
また、上述したように、右内壁第一、第二延長片４２ｄ、４２ｅを省略した場合には、右内壁４２の前後方向の端部が隣接する前後内壁６２、５２と重なり、前後内壁６２、５２が、対応する前後外壁６１、５１から開く方向（前後外壁６１、５１および前後内壁６２、５２との谷折線を軸として回転し前後外壁６１、５１から離間する方向）の移動を規制することになる。よって、この場合には、右内壁４２の前後方向の端部が、本発明の隣接内壁規制部に相当する。
【０１８４】
右壁４０が形成される際に、下内壁第一突片２３ａ、２３ｂについては、下中壁突片２２ａと同様の機能を発揮する。
【０１８５】
右壁４０が形成される際に、右内壁４２と下内壁２３との山折線が折り曲げられており、下内壁２３は下中壁２２に重なる。
【０１８６】
右壁４０が形成される際に、下内壁第二突片２３ｃ、２３ｄは、下中壁スリット２２ｂ、２２ｃにそれぞれ挿入され、その先端は左外壁３１に当接する。図１４では、左内壁３２で隠れて、下中壁スリット２２ｂ、２２ｃに挿入された下内壁第二突片２３ｃ、２３ｄ
を点線で記載している。
【０１８７】
下内壁第一突片２３ａ、２３ｂおよび下内壁第二突片２３ｃ、２３ｄの各先端が、右外壁４１および左外壁３１に当接するので、下内壁２３が固定される。
【０１８８】
ストッパー片延長部４００ｅの山折線を折り曲げ、左内壁第二突片３２ｂの開口に係合させる。また、当該開口の上部の折り曲げ部と左内壁第二突片３２ｂを、ストッパー片４００に重ねるようにさせ、ストッパー片４００の載置面から離間する方向への移動を規制するストッパー片規制部として形成する（図１４）。
【０１８９】
左内壁第二突片３２ｂを省略した場合には、左内壁第二突片３２ｂを省略したことで形成される開口の上部をストッパー片４００に重ねるようにさせ、ストッパー片４００の載置面から離間する方向への移動を規制するストッパー片規制部として形成する。
【０１９０】
図１４に示すように、下壁２０をそのまま載置面とする。このようにして、展示梱包箱用シートＢ１を折り曲げて組み立てて展示梱包箱Ｂが完成する。
【０１９１】
なお、内包物Ｎの商品Ｐは、ストッパー片４００を係合させる前にセットしても、ストッパー片４００を係合させた後にセットしてもどちらでも良い。
【０１９２】
〔第５の実施形態〕
以下、本発明の展示梱包箱用シートの第５の実施形態について図面の図２１から図２３と共に説明する。なお、第１から第４の実施形態と同様の部分については説明を省略し、異なる部分について説明する。
【０１９３】
第５の実施形態は、第４の実施形態における展示梱包箱用シートＢ１のストッパー片４００が設けられる位置が異なる。具体的には、第４の実施形態より下壁２０に近接した位置に設けられるようになっている。そのため、図２１において、右内壁４２に設けられるストッパー片５００は第４の実施形態のストッパー片４００よりも下内壁２３側に設けられている。
【０１９４】
この実施形態では、ストッパー片５００は左内壁３２、前後内壁５２、６２には延設されない。よって、左内壁３２、前後内壁５２、６２は、本発明のストッパー片が連設されていない立設内壁に相当する。
【０１９５】
第５の実施形態では、図２２および図２３に示すように、内包物Ｎを、第１の実施形態と同様、腕時計Ｐと、腕時計ＰがスペーサＳを介して取付けられる取付台Ｔとしている。
【０１９６】
図２３に示すように、取付台Ｔの脚部Ｔａが、下内壁２３とストッパー片５００との間に配置されているので、ストッパー片５００は、取付台Ｔの脚部Ｔａの上方への移動を規制する。よって、内包物Ｎの上下方向への移動が記載される。
【０１９７】
図２１に示すように、この展示梱包箱用シートＢ２には、第４の実施形態の左内壁第二突片３２ｂが省略されている。
【０１９８】
組み立てるときには、下中壁突片２２ａが形成されると同時に左内壁３２に形成された開口に、山折部を折り曲げたストッパー片延長部５００ｅを係合させ、ストッパー片５００が載置面より離間する方向への移動を規制する構成となっている。
【０１９９】
この実施形態では、下中壁突片２２ａが形成されると同時に左内壁３２に形成された開
口の上部が、ストッパー片５００に重なり、ストッパー片５００が載置面より離間する方向への移動を規制するストッパー片規制部となる。
尚、第１の実施形態において、左内壁第二突片３２ｂを折り曲げた状態、又は、左内壁第二突片３２ｂが省略された場合には、左内壁３２の下端側に、左内壁３２の平面視で、下端側が切り欠かかれた形状である切欠き部が形成されている。これは、第１の実施形態における左内壁４２も同様であり、第２及び第３実施形態の左内壁３２、右内壁４２も同様である。
また、第４の実施形態において、左内壁第二突片３２ｂを折り曲げた状態、又は、左内壁第二突片３２ｂが省略された場合には、この部分に、左内壁３２の平面視で開口が形成されている。第５の実施形態も同様である。
このように、第１から第５の実施形態に示した展示梱包箱の例は、切欠き部や、折り曲げ部を介して連設する突片を折り曲げて形成した切欠き部、又は、開口や、折り曲げ部を介して連設する突片を折り曲げて形成した開口を有している。そして、これらの部分に、ストッパー片規制部が設けられている。
【０２００】
〔他の変形例〕
いずれの実施形態における各技術的事項を他の実施形態に適用して実施例としても良い。
【符号の説明】
【０２０１】
Ａ、Ｂ          展示梱包箱
Ａ１−Ｂ２      展示梱包箱用シート
１０            上壁
１１            上外壁
１２            上内壁
２０            下壁
２１            下外壁
２２            下内壁、下中壁
２３            下内壁
３０            左壁
３１            左外壁
３２            左内壁
４０            右壁
４１            右外壁
４２            右内壁
５０            後壁
５１            後外壁
５２            後中壁、後内壁
５３            後内壁
６０            前壁
６１            前外壁
６２            前内壁
７１            左縁部
７２            右縁部
１００−５００  ストッパー片
Ｎ              内包物
Ｐ              商品
Ｓ              スペーサ
Ｔ              取付台
【図１】
0006632063.tif 000002
【図２】
0006632063.tif 000003
【図３】
0006632063.tif 000004
【図４】
0006632063.tif 000005
【図５】
0006632063.tif 000006
【図６】
0006632063.tif 000007
【図７】
0006632063.tif 000008
【図８】
0006632063.tif 000009
【図９】
0006632063.tif 000010
【図１０】
0006632063.tif 000011
【図１１】
0006632063.tif 000012
【図１２】
0006632063.tif 000013
【図１３】
0006632063.tif 000014
【図１４】
0006632063.tif 000015
【図１５】
0006632063.tif 000016
【図１６】
0006632063.tif 000017
【図１７】
0006632063.tif 000018
【図１８】
0006632063.tif 000019
【図１９】
0006632063.tif 000020
【図２０】
0006632063.tif 000021
【図２１】
0006632063.tif 000022
【図２２】
0006632063.tif 000023
【図２３】
0006632063.tif 000024